(57)【要約】【課題】本体から空調対象空間に水が漏洩してしまうことを抑制する換気装置を提供することを目的としている。【解決手段】給気風路及び排気風路を有する本体と、本体内に設けられ、給気風路を流れる空気と排気風路を流れる空気とを熱交換させる熱交換器と、本体内であって熱交換器の下側に設けられたドレン皿と、本体内に設けられ、空調対象空間外の空気給気風路に取り込み、空調対象空間に放出する給気用送風ファンと、本体内に設けられ、空調対象空間の空気を排気風路に取り込み、空調対象空間外に排出する給気用送風ファンと、給気風路のうちの熱交換器の上流側の側面の一部に設けられた水受け部と、を有し、給気風路のうちの熱交換器の上流側の側面の一部で生じる結露を、水受け部を介してドレン皿に流す。【選択図】図１
2014145540.tif 000002
【特許請求の範囲】
【請求項１】
給気風路及び排気風路を有する本体と、
前記本体内に設けられ、前記給気風路を流れる空気と前記排気風路を流れる空気とを熱交換させる熱交換器と、
前記本体内であって前記熱交換器の下側に設けられたドレン皿と、
前記本体内に設けられ、空調対象空間外の空気を前記給気風路に取り込み、空調対象空間に放出する給気用送風ファンと、
前記本体内に設けられ、空調対象空間の空気を前記排気風路に取り込み、空調対象空間外に排出する給気用送風ファンと、
前記給気風路のうちの前記熱交換器の上流側の側面の一部に設けられた水受け部と、
を有し、
前記給気風路のうちの前記熱交換器の上流側の側面の一部で生じる結露を、前記水受け部を介して前記ドレン皿に流す
ことを特徴とする換気装置。
【請求項２】
前記給気風路のうちの前記熱交換器の上流側に設けられ、塵埃を捕集するフィルターを収容しているフィルターユニットを有し、
前記フィルターユニットは、
前記水受け部が一体的に組み込まれている
ことを特徴とする請求項１に記載の換気装置。
【請求項３】
前記フィルターユニットは、
前記水受け部を備え、前記熱交換器及び前記本体に支持される固定側ケースと、
一方側が前記固定側ケースに対向し、他方側が前記熱交換器に対向するように設けられ、前記フィルターを収容する取外側ケースとを有し、
前記固定側ケースは、
前記取外側ケースが載置されるフィルター収納部と、
前記フィルター収納部のうち前記熱交換器側とは反対側の端部側に突出するように形成され、前記水受け部の水が流れるように前記水受け部に接続されている水路用リブと、
前記水路用リブの水が前記フィルターの下側を流れるように前記水路用リブに接続され、前記フィルター収納部と前記フィルターの下端側との間に形成される隙間である水抜き通路と、
前記フィルター収納部のうち前記熱交換器側の端部側に立設され、前記固定側ケースを支持する支持部とを有し、
前記取外側ケースは、
前記固定側ケースの下端面上に設置され、前記フィルターの下端側を支持する下部と、
前記フィルターユニットが前記本体に取り付けられた状態において、前記支持部との間に隙間が形成されるように、前記下部のうちの前記熱交換器側に立設されている水路用壁とを有する
ことを特徴とする請求項２に記載の換気装置。
【請求項４】
前記熱交換器は、
前記固定側ケースの前記フィルター収納部の下面側に対応する角部が前記本体に支持され、
前記本体には、
前記水受け部、前記水路用リブ、前記水抜き通路、及び前記支持部と前記水路用壁との隙間を通過した水が前記ドレン皿に流れるように、前記熱交換器の前記角部側から前記ドレン皿側にかけて上下方向に水伝い壁が形成されている
ことを特徴とする請求項３に記載の換気装置。
【請求項５】
前記固定側ケースは、
前記水受け部に立設し、上端側が前記本体の上面に接続されている第１の風路仕切部と、
前記第１の風路仕切部の上端側から前記熱交換器の長手方向に伸びるように形成され、上端側が前記本体の上面に接続されている第２の風路仕切部とを有し、
前記給気風路のうちの前記熱交換器より上流側の空気と、前記排気風路のうちの前記熱交換器より上流側の空気とが混合しないように、前記給気風路と前記排気風路とが仕切られている
ことを特徴とする請求項３又は４に記載の換気装置。
【請求項６】
前記固定側ケースは、
前記給気風路のうちの前記熱交換器の上流側の一部を構成する前記熱交換器の側面側と対向するように、前記水受け部のうちの前記熱交換器側の端部側から立設している壁部を有している
ことを特徴とする請求項５に記載の換気装置。
【請求項７】
前記フィルターユニットは、
前記水路用リブ側と前記第２の風路仕切部側とを接続するように形成された接続リブを有する
ことを特徴とする請求項５又は６に記載の換気装置。
【発明の詳細な説明】
【技術分野】
【０００１】
本発明は、換気装置に関するものである。
【背景技術】
【０００２】
従来の換気装置には、本体外郭の一部を構成する前ケーシング及び後ケーシングを有し、この前ケーシング及び後ケーシングによって形成される空間に熱交換器を配置した熱交換型換気装置が提案されている（たとえば、特許文献１参照）。特許文献１に記載の技術は、前ケーシングに給気出口及び排気入口が設けられ、後ケーシングに給気入口と排気出口が設けられており、本体内には給気入口、熱交換器及び給気出口を通る給気風路と、排気入口、熱交換器、及び排気出口を通る排気風路とが形成されたものである。すなわち、給気風路と排気風路は、熱交換器で交差し、両風路の空気同士で熱交換が行われるようになっている。
なお、特許文献１に記載の技術は、熱交換器の下側に熱交換器で発生した結露水を受けるのに利用されるドレン皿が設けられている。
【先行技術文献】
【特許文献】
【０００３】
【特許文献１】特許第３４３８４６４号公報（たとえば、図１及び図２参照）
【発明の概要】
【発明が解決しようとする課題】
【０００４】
特許文献１に記載の技術は、室外に連通している給気入口を介して本体内に霧や雨などが浸入し、給気風路のうちの熱交換器の上流側で水が凝縮する場合がある。
ここで、特許文献１に記載の技術では、熱交換器が給気風路と排気風路とを隔てるように配置されており、熱交換器の側面などにその凝縮した水が付着してしまうと、風路間を隔てる部材と熱交換器の側面との間の隙間などから本体の下面側に滴下することがある。
なお、熱交換器の下側にドレン皿が設けられているが、ドレン皿及び熱交換器の寸法によっては、熱交換器の側面側から滴下された水をドレン皿で受け止めることができない場合がある。
【０００５】
すなわち、特許文献１に記載の技術は、熱交換器の側面側から滴下され、ドレン皿で受け止めることができなかった水が、本体の隙間などから空調対象空間に漏洩してしまい、床及び家電品などにかかってしまうという課題があった。
【０００６】
本発明は、以上のような課題を解決するためになされたもので、本体から空調対象空間に水が漏洩してしまうことを抑制する換気装置を提供することを目的としている。
【課題を解決するための手段】
【０００７】
本発明に係る換気装置は、給気風路及び排気風路を有する本体と、本体内に設けられ、給気風路を流れる空気と排気風路を流れる空気とを熱交換させる熱交換器と、本体内であって熱交換器の下側に設けられたドレン皿と、本体内に設けられ、空調対象空間外の空気給気風路に取り込み、空調対象空間に放出する給気用送風ファンと、本体内に設けられ、空調対象空間の空気を排気風路に取り込み、空調対象空間外に排出する給気用送風ファンと、給気風路のうちの熱交換器の上流側の側面の一部に設けられた水受け部と、を有し、給気風路のうちの熱交換器の上流側の側面の一部で生じる結露を、水受け部を介してドレン皿に流すものである。
【発明の効果】
【０００８】
本発明に係る換気装置によれば、上記構成を有しているので、本体から空調対象空間に水が漏洩してしまうことを抑制することができる。
【図面の簡単な説明】
【０００９】
【図１】本発明の実施の形態に係る換気装置の分解図である。
【図２】図１に示す換気装置の模式図である。
【図３】本発明の実施の形態に係る換気装置の給気風路のうちの給気用ファンから熱交換器の上流側までの構成を説明する図である。
【図４】図３に示すＡ−Ａ断面図である。
【図５】本発明の実施の形態に係る換気装置の熱交換器及びフィルターユニットの斜視図である。
【図６】図５に示す熱交換器及びフィルターユニットが本体に取り付けられた状態における縦断面図である。
【図７】図５及び図６に示すフィルターユニットの分解図である。
【図８】本発明の実施の形態に係る換気装置のフィルターユニットを取外側ケース側から見た図である。
【図９】図８に示すＢ−Ｂ断面図である。
【図１０】図８に示すＣ−Ｃ断面図である。
【図１１】本発明の実施の形態に係る換気装置の縦断面図である。
【図１２】図１１の（ク）に示す部分の拡大図である。
【図１３】固定側ケースに高性能フィルターを設けるときの説明図である。
【図１４】フィルターユニットにフィルターに加えて任意のフィルターを設けたときの説明図である。
【発明を実施するための形態】
【００１０】
以下、本発明の実施の形態を図面に基づいて説明する。
実施の形態．  
図１は、実施の形態に係る換気装置１００の分解図である。図２は、図１に示す換気装置１００の模式図である。図３は、実施の形態に係る換気装置１００の給気風路２５のうちの給気用ファン１１から熱交換器５の上流側までの構成を説明する図である。図４は、図３に示すＡ−Ａ断面図である。
なお、図２（ａ）は水平断面図であり、図２（ｂ）は風向可変ルーバー２が垂直面に平行な状態の縦断面図であり、図２（ｃ）は正面図であり、図２（ｄ）は風向可変ルーバー２が水平面に平行な状態の縦断面図である。また、図２〜図４に図示された矢印は、空気の流れを表している。
本実施の形態に係る換気装置１００は、本体１０１から空調対象空間に水が漏洩してしまうことを抑制することができる改良が加えられたものである。
【００１１】
換気装置１００は、空調対象空間（たとえば、室内、ビル、倉庫など）の空気を取り込んで空調対象空間外に排出するとともに、空調対象空間外の空気を取り込んで空調対象空間に供給することができるものである。なお、本実施の形態では、空調対象空間が室内である場合を例に説明する。また、「室外空気」は換気装置１００から室内に供給される「給気」に対応し、「室内空気」は、換気装置１００から室外に排出される「排気」に対応している。
【００１２】
換気装置１００は、「各種機器が搭載される本体１０１」と、「本体１０１の前面側に設けられる正面パネル１」と、「本体１０１の前面側であって正面パネル１の下側に取り付けられる風向可変ルーバー２」と、「本体１０１の背面側に接続される室外空気を取り込むための給気入口部８」と、「本体１０１の背面側に接続され、室内空気を排気するのに利用される排気出口部９」と、「取り込んだ室外空気と室内空気とを熱交換させる熱交換器５」と、「室外空気を本体１０１内に取り込む給気用ファン１１」と、「室内空気を取り込む排気用ファン１２」と、「取り込んだ室外空気に含まれる塵埃などを補足するフィルターユニット７」と、「室内空気に含まれる塵埃などを捕集する室内側フィルター２１」とを有している。
【００１３】
（本体１０１）
本体１０１は、たとえば、略直方体形状で外郭を形成するものであり、給気用ファン１１、排気用ファン１２、熱交換器５、フィルターユニット７、室内側フィルター２１などが搭載されているものである。
本体１０１の前面側には、換気装置１００の前面を構成する正面パネル１が設けられ、この正面パネル１の下側に風向可変ルーバー２が設けられている。
【００１４】
本体１０１の背面側には、室外と本体１０１とを連通する給気入口部８が接続されて設けられている。また、本体１０１の背面側には、本体１０１を正面視したときにおいて、給気入口部８の左側に室外と本体１０１とを連通する排気出口部９が接続されて設けられている。
本体１０１には、本体１０１内に供給される室外空気と室内空気とが混合しないようにする送風機取付板２２が立設されている。送風機取付板２２の前面側が、本体１０１内に供給される室内空気が流れる給気風路２５の一部を構成し、送風機取付板２２の背面側が、本体１０１内に供給される室外空気が流れる排気風路２６の一部を構成している。なお、給気風路２５及び排気風路２６については、後ほど説明する。
【００１５】
本体１０１は、本体１０１の前面側に位置する前ケーシング３と、この前ケーシング３の背面側に設けられる後ケーシング４と、前ケーシング３及び後ケーシング４に収容されている中ケーシング１７とを有しているものである。
【００１６】
前ケーシング３には、正面パネル１が予め設定された間隔を空けて設けられている。そして、この間隔が空けられた部分には、熱交換器５で室内空気（排気）と熱交換した室外空気（給気）が流れる給気出口部６と、熱交換器５で室外空気と熱交換した室内空気が流れる排気入口部１０とが設けられている。また、前ケーシング３には、後述する排気用ファン１２の排気用羽根１２Ａが収容される収容部３Ａが形成されている。
なお、給気出口部６は、給気風路２５のうちの熱交換器５の下流側に対応する部分であり、排気入口部１０は、排気風路２６のうちの熱交換器５の上流側に対応する部分である。また、排気入口部１０には、室内側フィルター２１が配置されており、室内空気に含まれる塵埃などを捕集し、熱交換器５などが塵埃などで詰まってしまい熱交換効率が低減してしまうことが抑制されている。
前ケーシング３には、熱交換器５などから滴下する凝縮水を貯留するドレン皿１６が一体的に形成されている。そして、前ケーシング３、中ケーシング１７及び後ケーシング４が組み合わされた状態では、このドレン皿１６の下面側が中ケーシング１７の一部によって支持されている（図１１参照）。なお、本実施の形態では、前ケーシング３にドレン皿１６が一体的に形成されているものとして説明するがそれに限定されるものではなく、ドレン皿１６を別体で設けてもよい。
【００１７】
後ケーシング４には、給気入口部８の開閉及び排気出口部９の開閉を行うシャッター１３及びサブシャッター１４が設けられている。シャッター１３には、給気入口部８と連通する開口１５が設けられている。
換気装置１００の運転時などには、シャッター１３及びサブシャッター１４を開き、給気入口部８と開口１５とが連通して給気入口部８側から開口１５側に空気が流れるようになる。
また、換気装置１００の停止時などには、シャッター１３及びサブシャッター１４を閉じ、給気入口部８及び排気出口部９が閉塞される。これにより、本体１０１と室外側との連通を遮断し、室外側から本体１０１側に空気が侵入することが抑制されるようになっている。
【００１８】
中ケーシング１７は、ドレン皿１６、熱交換器５、及びフィルターユニット７などを支持するように、前ケーシング３及び後ケーシング４に収容されているものである。中ケーシング１７は、たとえば箱状にスチロール成型されて得られる。また、中ケーシング１７には、後述する給気用ファン１１の給気用羽根１１Ａが収容される収容部１７Ａが形成されている。
中ケーシング１７の詳細構成については、後段の図１１及び図１２で説明する。
【００１９】
（正面パネル１及び風向可変ルーバー２）
正面パネル１は、本体１０１の前ケーシング３の前側に設けられ、換気装置１００の前面の一部を構成するものである。正面パネル１は、正面視したときの平面形状が略長方形形状をした平板部材である。正面パネル１は、本体１０１が室内に設置された状態において、鉛直方向に平行に設けられる。また、正面パネル１の下端側には、風向可変ルーバー２が回転自在に設けられている。正面パネル１には、正面パネル１の背面側と本体１０１の前ケーシング３との間に給気出口部６及び排気入口部１０が設けられている。
風向可変ルーバー２は、給気出口部６から室内側に吹き出される空気の方向を変化させることが可能なものである。すなわち、風向可変ルーバー２は、本体１０１側から噴出される空気の方向を、図２（ｂ）に示すように鉛直方向、或いは、図２（ｄ）に示すように水平方向に変化させることができるものである。
風向可変ルーバー２は、本体１０１の前面側であって正面パネル１の下側に回転可能に設けられている。風向可変ルーバー２は、正面視したときの平面形状が、たとえば略長方形形状をした平板部材である。
【００２０】
（給気入口部８及び排気出口部９）
給気入口部８は、たとえば、室内と室外とを隔てる家屋の壁などに形成されている開口部に接続されるものである。すなわち、給気入口部８は、本体１０１と室外とを連通させるものである。給気入口部８は、一端側が本体１０１の後ケーシング４に接続され、他方側が室外側に設けられている。なお、たとえば風雨などが強い状況においては、シャッター１３及びサブシャッター１４などが閉じられて、給気入口部８側から本体１０１内に水が浸入してしまうことが抑制されるようになっている。
排気出口部９も、たとえば、室内と室外とを隔てる家屋の壁などに形成されている開口部に接続されるものである。すなわち、排気出口部９は、本体１０１と室外とを連通させるものである。排気出口部９は、一端側が本体１０１の後ケーシング４に接続され、他端側が室外側に設けられている。
【００２１】
（熱交換器５）
熱交換器５は、本体１０１に取り込んだ室外空気と、本体１０１内に取り込んだ室内空気とを熱交換させるものである。すなわち、熱交換器５は、排気の熱量を給気で回収する機能を有しているものである。熱交換器５は、換気装置１００を正面視したときに、給気用ファン１１及び排気用ファン１２の左側に配置されている。
なお、熱交換器５は、熱交換器５に流入した室外空気と、室内空気とは混合しないように構成されている。すなわち、熱交換器５は、室外空気が流れる第１流路と、室内空気が流れる第２流路とが隔てられており、複数のフィンが積層されて構成されている。そして、第１流路と第２流路とは、熱交換器５内で交差し、また、熱交換できるようにフィンを介して隔てられている。なお、フィンの積層方向は、熱交換器５の長手方向に対応している。
また、熱交換器５には、熱交換器５の側面のうち室外空気が流出する側の側面に、熱交換器５を支持するのに利用される熱交換器取手２４が設けられている。
【００２２】
ここで、図４に示すように、「熱交換器５の側面のうちの給気用羽根１１Ａ側の側面３３の上端となる端部３３ａと、側面３３の下端となる端部とを結ぶ対角線（ウ）」と、「熱交換器５の側面３３の後端となる端部３３ｂと、側面３３の前端となる端部とを結ぶ対角線（エ）」との交点を交点３９と称する。
仮にフィルターユニット７が設けられていない場合においては、側面３３のうちの交点３９と端部３３ａと端部３３ｂとを結んで形成される三角形の面２９は、給気風路２５を流れる給気と接触する面となる。そして、この面２９は、給気の流れ方向に対して垂直となっている。
このため、仮にフィルターユニット７が設けられていないと、本体１０１内に取り入れられた室外空気が、この面２９に衝突して面２９で結露が生じてしまう。そして、この結露した水は、熱交換器５の側面３３を伝ってドレン皿１６が設けられていない部分に滴下し、本体１０１から室内に水が漏洩してしまう可能性がある。
そこで、本実施の形態に係る換気装置１００は、給気風路２５内の水が室内に漏洩しないように、フィルターユニット７が構成されている。
【００２３】
（給気用ファン１１及び排気用ファン１２）
給気用ファン１１は、回転する給気用羽根１１Ａ、給気用羽根１１Ａを回転させる送風用電動機２３により構成され、送風用電動機２３の回転を図示省略のシャフトにより給気用羽根１１Ａに伝えて給気用羽根１１Ａを回転させるものである。これにより、本体１０１に室外空気を取り込み、放出することができる。
排気用ファン１２は、回転する排気用羽根１２Ａ、排気用羽根１２Ａを回転させる送風用電動機２３により構成され、送風用電動機２３の回転を図示省略のシャフトにより排気用羽根１２Ａに伝えて排気用羽根１２Ａを回転させるものである。これにより、本体１０１に室内空気を取り込み、放出することができる。
【００２４】
給気用ファン１１及び排気用ファン１２は、たとえばシロッコファンなどで構成するとよい。なお、送風用電動機２３は、図１に示すように、送風機取付板２２を境にして、給気が流れる風路側と排気が流れる風路側に跨がって設けられている。
【００２５】
（フィルターユニット７）
フィルターユニット７は、図１に示すように、給気風路２５のうちの熱交換器５の上流側に設けられ、虫、塵埃などを捕集するフィルター１８と、固定側ケース１９及び取外側ケース２０とを有している。
フィルター１８は、固定側ケース１９と取外側ケース２０との間に収容されているものである。そして、フィルター１８は、たとえば、熱交換器５の給気の流入口の形状に対応するように、平面視形状が四角形状に形成されている。フィルター１８が設けられていることにより、室内に虫、塵埃などが除かれた空気を供給することができるとともに、熱交換器５に虫、塵埃などが入って熱交換器５の流路が詰まってしまい、熱交換効率が低減してしまうことを抑制することができる。
固定側ケース１９は、熱交換器５のうちの給気用ファン１１側の側面に接触するように設けられる壁部１９Ｆ、本体１０１内に取り入れられた室外空気が壁部１９Ｆ側に送り込まれて発生した水を受ける水受け部１９Ａ、及び、給気風路２５と排気風路２６とを仕切る第２の風路仕切部１９Ｌなどが形成されたものである。固定側ケース１９は、中ケーシング１７に接続されて支持されている。
取外側ケース２０は、フィルターユニット７が本体１０１に取り付けられた状態において、固定側ケース１９と熱交換器５との間に設けられるものである。取外側ケース２０は、固定側ケース１９に接続されて固定されている。
フィルターユニット７の詳細構成については、後段の図１１及び図１２で説明する。
【００２６】
（室内側フィルター２１）
室内側フィルター２１は、排気入口部１０に設けられ、室内空気に含まれる塵埃などを捕集するものである。室内側フィルター２１によって室内空気が清浄されるとともに、熱交換器５に塵埃などが入ってしまうことを抑制し、熱交換器５の熱交換効率が低減してしまうことを抑制することができるものである。
【００２７】
［空気の流れの説明］
換気装置１００には、室外空気が流れる給気風路２５と、室内空気が流れる排気風路２６とが形成されている。
給気風路２５は、空気流れ方向の上流側から、給気入口部８、後ケーシング４、給気用羽根１１Ａ、フィルターユニット７、熱交換器５、及び給気出口部６が連通して形成された風路である。
給気ａ（室外空気）は、給気入口部８を介して本体１０１内に取り込まれる。この本体１０１内に取り込まれた給気ａは、給気用ファン１１を通って熱交換器５に流入する。そして、この熱交換器５に流入した給気ａは、熱交換器５に流入した排気ｂと熱交換した後に、熱交換器５から放出される。そして、熱交換器５から放出された給気ａは、給気出口部６を介して室内に放出される。なお、この室内に放出される給気ａは、風向可変ルーバー２の作用によって鉛直方向（図２（ｂ）参照）或いは水平方向（図２（ｄ）参照）に風向が調整される。
【００２８】
排気風路２６は、空気流れ方向の上流側から、排気入口部１０、室内側フィルター２１、排気用羽根１２Ａ、熱交換器５、後ケーシング４、及び排気出口部９が連通して形成された風路である。
排気ｂ（室内空気）は、排気入口部１０から本体１０１内に取り込まれる。この本体１０１内に取り込まれた排気ｂは、室内側フィルター２１を通って塵埃などが捕集されたのちに、排気用ファン１２を通って熱交換器５に流入する。この熱交換器５に流入した排気ｂは、熱交換器５に流入した給気ａと熱交換した後に、熱交換器５から放出される。そして、熱交換器５から放出された排気ｂは、排気出口部９を介して室外に放出される。
【００２９】
［フィルターユニット７の詳細説明］
図５は、実施の形態に係る換気装置１００の熱交換器５及びフィルターユニット７の斜視図である。図６は、図５に示す熱交換器５及びフィルターユニット７が本体１０１に取り付けられた状態における縦断面図である。図７は、図５及び図６に示すフィルターユニット７の分解図である。図５〜図７を参照してフィルターユニット７の詳細な構成について説明する。
【００３０】
［固定側ケース１９］
固定側ケース１９は、「給気風路２５のうちの熱交換器５の上流側の一部を構成する熱交換器５の側面側に設けられ、水を貯留する水受け部１９Ａ」と、「熱交換器５の長手方向に伸びるように形成されたフィルター収納部１９Ｂ」と、「フィルター収納部１９Ｂに形成され、水受け部１９Ａ側に接続された水路用リブ１９Ｃ」とを有している。
また、固定側ケース１９は、「水受け部１９Ａのうちの正面パネル１側の端部側に形成された第１の風路仕切部１９Ｄ」と、「第１の風路仕切部１９Ｄの上端側から熱交換器５の長手方向に伸びるように形成されている第２の風路仕切部１９Ｌを有する上部１９Ｅ」と、「水受け部１９Ａのうちの熱交換器５側の端部側に形成された壁部１９Ｆ」と、「第２の風路仕切部１９Ｌに接触するように設けられる断熱材１９Ｇ（図１２参照）」と、「水受け部１９Ａと上部１９Ｅとを接続するように形成されている接続リブ１９Ｈ」とを有している。
固定側ケース１９は、たとえば樹脂で構成されたものであり、水受け部１９Ａ、フィルター収納部１９Ｂ、水路用リブ１９Ｃ、第１の風路仕切部１９Ｄ、上部１９Ｅ、壁部１９Ｆ及び接続リブ１９Ｈが一体形成されたものである。
【００３１】
（水受け部１９Ａ）
水受け部１９Ａは、たとえば、本体１０１内に取り入れられた室外空気とともに流れてくる霧状の水、及び、室外空気が給気風路２５で結露することで生じる水などを貯留するものである。この水受け部１９Ａはフィルターユニット７に一体的に組み込まれたもの、すなわち、水受け部１９Ａは、固定側ケース１９に一体形成されたもの、として説明するがそれに限定されるものではなく、別体でもよい。
水受け部１９Ａは、フィルターユニット７が本体１０１に取り付けられた状態において、たとえば、水平面と平行となるように形成されたものである。なお、水受け部１９Ａは、本体１０１にフィルターユニット７が取り付けられた状態において、上面が水平面と平行であってもよいし、水を貯留しやすいように凹状に形成されていてもよいし、或いは、水路用リブ１９Ｃ側に水が流れやすくするように水路用リブ１９Ｃに対して下側に傾斜する傾斜面が形成されていてもよい。
【００３２】
水受け部１９Ａは、熱交換器５側の端部側に壁部１９Ｆが連続的に接続されている。このため、水受け部１９Ａ及び壁部１９Ｆは、水受け部１９Ａ及び壁部１９Ｆが通る縦断面で見たとき、Ｌ字状になっている。
また、水受け部１９Ａは、正面パネル１側の端部側に第１の風路仕切部１９Ｄが連続的に接続されている。このため、水受け部１９Ａ及び第１の風路仕切部１９Ｄは、水受け部１９Ａ及び第１の風路仕切部１９Ｄが通る縦断面で見たときにもＬ字状となっている。
これにより、水受け部１９Ａは、本体１０１内に取り込まれた霧状の水や水蒸気を含む空気が、壁部１９Ｆ及び第１の風路仕切部１９Ｄで結露し、流れ落ちてきた水を貯留することができる。また、水受け部１９Ａは、壁部１９Ｆ及び第１の風路仕切部１９Ｄに対して連続的に接続されており、部材間の隙間がないため、ドレン皿１６が設置されていない箇所に水が流れていき、室内側に水が漏洩してしまうことを抑制することができる。
【００３３】
なお、水受け部１９Ａには、水受け部１９Ａのうちの後ケーシング４側の端部側に傾斜部１９Ｉが形成されている。傾斜部１９Ｉには、フィルターユニット７が本体１０１に取り付けられた状態において、後ケーシング４側から正面パネル１側に向かって下側に傾斜した傾斜面が形成されている。これにより、水受け部１９Ａに貯留された水が、水路用リブ１９Ｃ側に導かれるようになっている。
【００３４】
また、固定側ケース１９に壁部１９Ｆが形成されていなくてもよい。この場合には、水受け部１９Ａの熱交換器５側と熱交換器５の側面とが密着するように取り付けることで、水受け部１９Ａと熱交換器５との隙間から結露が漏れてしまうことを防止することができる。
【００３５】
（フィルター収納部１９Ｂ）
フィルター収納部１９Ｂは、後述する取外側ケース２０の下部２０Ａの下面と対向するように設けられ、取外側ケース２０を支持するものである。フィルター収納部１９Ｂは、熱交換器５のフィンの積層方向と平行、すなわち、熱交換器５の長手方向と平行に伸びるように形成されたものである。なお、フィルター収納部１９Ｂには、水路用リブ１９Ｃが接続されている。
【００３６】
フィルター収納部１９Ｂは、水平方向における水受け部１９Ａ側の端部側に形成され、水路用リブ１９Ｃに接続する水抜き通路１９Ｊが形成されている。フィルター収納部１９Ｂは、この水抜き通路１９Ｊの形成位置でフィルター１８の下端側とは接触していない。
たとえば、フィルター収納部１９Ｂは、水抜き通路１９Ｊの形成位置が、凹状になっている。すなわち、フィルター収納部１９Ｂは、水抜き通路１９Ｊの形成面と、フィルター１８の下面との間に予め設定された間隔の隙間が形成されているということである。これにより、水路用リブ１９Ｃ側から流れてきた水が、フィルター収納部１９Ｂに流れ込んでくるようになっている。
また、フィルター収納部１９Ｂには、前後方向における正面パネル１側の端部側に、立設するように形成された支持部１９Ｋが設けられている。この支持部１９Ｋは、取外側ケース２０が固定側ケース１９から離脱してしまうことがないように、取外側ケース２０を支持する機能を有している。
さらに、フィルター収納部１９Ｂの下面側は、フィルターユニット７が本体１０１に取り付けられた状態において中ケーシング１７に支持されるようになっている（図１１参照）。
【００３７】
（水路用リブ１９Ｃ）
水路用リブ１９Ｃは、フィルター収納部１９Ｂの前後方向における後ケーシング４側の端部側であって、フィルター収納部１９Ｂの水平方向における水受け部１９Ａ側の端部側に形成されたものである。この水路用リブ１９Ｃは、後ケーシング４側に突出するように形成されている。水路用リブ１９Ｃは、水受け部１９Ａ及び水抜き通路１９Ｊに接続されており、水受け部１９Ａ側から流れてきた水を水抜き通路１９Ｊ側に流すことができる。
【００３８】
（第１の風路仕切部１９Ｄ）
第１の風路仕切部１９Ｄは、排気風路２６のうちの熱交換器５の上流側と、給気風路２５のうちの熱交換器５の上流側とを隔離し、給気と排気とが混合することを防止するものである。
第１の風路仕切部１９Ｄは、水受け部１９Ａの正面パネル１側の端部側に連続的に接続されている。なお、本実施の形態では、第１の風路仕切部１９Ｄと水受け部１９Ａとは直交するように接続されているものとして説明するが、給気と排気とが混合することを防止することができれば直交からずれていてもよい。
【００３９】
（上部１９Ｅ）
上部１９Ｅは、一端側が第１の風路仕切部１９Ｄの上端側に接続され、この接続位置から熱交換器５の長手方向に伸びるように形成されたものである。そして、上部１９Ｅは、下端側に接続リブ１９Ｈが接続されており、上端側に給気と排気との混合を防止する第２の風路仕切部１９Ｌが形成されている。
第２の風路仕切部１９Ｌは、第１の風路仕切部１９Ｄと同様に、排気風路２６のうちの熱交換器５の上流側と、給気風路２５のうちの熱交換器５の上流側とを隔離し、給気と排気とが混合することを防止するものである。
第２の風路仕切部１９Ｌは、一端側が第１の風路仕切部１９Ｄの上端側に接続され、この接続位置から熱交換器５の長手方向に伸びるように形成されたものである。この第２の風路仕切部１９Ｌは、フィルター収納部１９Ｂと平行に形成されている。
なお、第２の風路仕切部１９Ｌは、中ケーシング１７と前ケーシング３により挟まれることで、支持されている。
すなわち、フィルターユニット７の上端側は、第２の風路仕切部１９Ｌが中ケーシング１７と前ケーシング３とに挟まれて支持され、フィルターユニット７の下端側は、フィルター収納部１９Ｂが中ケーシング１７に支持されて本体１０１内に支持されている（図１１及び図１２参照）。
【００４０】
このように、フィルターユニット７は、第１の風路仕切部１９Ｄ及び第２の風路仕切部１９Ｌを有するため、隣接する給気風路２５と排気風路２６とを隔離し、給気風路２５の気密性及び排気風路２６の気密性を保つことができるようになっている。これにより、換気装置１００の給気風量、及び排気風量の低下を防止することができる。
【００４１】
（壁部１９Ｆ）
壁部１９Ｆは、給気風路２５のうちの熱交換器５の上流側の一部を構成する熱交換器５の面２９と対向するように、水受け部１９Ａのうちの熱交換器５側の端部側から立設しているものである。壁部１９Ｆは、先述の図４で説明したように熱交換器５の面２９で結露が生じないように、面２９を覆うように形成されている。
【００４２】
ここで、図５及び図６に示すように、フィルターユニット７が設置された状態において、フィルターユニット７に給気が衝突する部分は次の通りである。
第１の風路仕切部１９Ｄを通る直線（カ）と、水受け部１９Ａの上面を通る直線（キ）との交点を交点３９ａと称する。
直線（カ）と熱交換器５の側面３３を構成する四角形の辺との交点を上から、点３３ｃ、点３３ｄと称する。
直線（キ）と熱交換器５の側面３３を構成する四角形の辺との交点を後側から、点３３ｅ、点３３ｆと称する。
壁部１９Ｆは、少なくとも、「（１）交点３９ａ」と「（２）点３３ｃ」と「（３）点３３ｅ」とで形成される三角形を覆うように形成されているとよい。ただし、壁部１９Ｆは、これに限定されるものではない。図５及び図６に示すように、「（２）点３３ｃ」の位置を高くし、「（３）点３３ｅ」の位置を後ろ側にして、壁部１９Ｆの三角形を広くとってもよい。
【００４３】
（断熱材１９Ｇ）
断熱材１９Ｇは、第２の風路仕切部１９Ｌに接触して設けられているものである（図１２参照）。ここで、第２の風路仕切部１９Ｌの一方側の面は、排気風路２６に面しており、他方側の面は給気風路２５に面している。特に冬場においては、排気風路２６には暖かく湿度の高い空気が流れ、給気風路２５には冷たい乾燥した空気が流れることから、第２の風路仕切部１９Ｌで結露が生じやすくなる。
そこで、第２の風路仕切部１９Ｌの一方側の面及び他方側の面に断熱材１９Ｇを設けることで、結露を抑制することができる。なお、断熱材１９Ｇは、予め設定された厚みを有しており、第２の風路仕切部１９Ｌと、中ケーシング１７及び前ケーシング３との間の気密性を確保する効果も得ることができる。
断熱材１９Ｇは、たとえば、第２の風路仕切部１９Ｌに糊などで張り付けることで固定するとよい。
【００４４】
（接続リブ１９Ｈ）
接続リブ１９Ｈは、固定側ケース１９の矩形形状を保持する補強部材である。また、接続リブ１９Ｈは、フィルター１８の対向するように形成されており、フィルター１８を支持することもできるようになっている。
接続リブ１９Ｈは、図７に示すように、水路用リブ１９Ｃと、上部１９Ｅの下端側とを接続するように形成されたもののほかに、フィルター収納部１９Ｂのうちの水受け部１９Ａが形成された側とは反対側の端部側から突出するように形成されたリブ１９Ｍと、上部１９Ｅの下端側とを接続するように形成されたものがある。このように、複数の接続リブ１９Ｈが固定側ケース１９に設けられ、固定側ケース１９の変形を抑制している。
【００４５】
［取外側ケース２０］
取外側ケース２０は、「熱交換器５の長手方向に伸びるように形成されている下部２０Ａ」と、「下部２０Ａの上側であって熱交換器５の長手方向に伸びるように形成されている上部２０Ｂ」と、「上部２０Ｂと下部２０Ａとを接続するように形成され、フィルター１８を支持する接続リブ２０Ｄ」と、「ユーザーがフィルターユニット７を着脱する際に利用されるつまみ２０Ｅ」とを有している。
取外側ケース２０は、たとえば樹脂で構成されたものであり、下部２０Ａ、上部２０Ｂ、及び接続リブ２０Ｄが一体形成されたものである。
固定側ケース１９が製品本体に固定されており、この取外側ケース２０については固定側ケース１９に着脱自在となっている。すなわち、メンテナンス時にユーザーがフィルターユニット７全体を取り外す必要がない分、メンテナンス性が向上している。
【００４６】
（下部２０Ａ）
下部２０Ａは、下面側がフィルター収納部１９Ｂに接触して、フィルター収納部１９Ｂに支持されるものである。また、下部２０Ａは、フィルター１８の下端側と接触し、フィルター１８を支持している。このため、固定側ケース１９のフィルター収納部１９Ｂは、下部２０Ａを介してフィルター１８を支持していることになる。
下部２０Ａには、熱交換器５側の端部に立設された水路用壁２０Ｃが設けられている。この水路用壁２０Ｃは、接続リブ２０Ｄの一方側が接続されている。また、水路用壁２０Ｃは、取外側ケース２０に収容されたフィルター１８を支持する機能も有する。
水路用壁２０Ｃは、固定側ケース１９と取外側ケース２０とが組み立てられた状態において、支持部１９Ｋとの間に、予め設定された間隔の隙間４４（図８参照）が形成されるように設けられているものである。
【００４７】
ここで、水受け部１９Ａ側から流れる水の流れについて説明する。
水受け部１９Ａの水は、水路用リブ１９Ｃを介して水抜き通路１９Ｊに流入する。ここで、フィルターユニット７が本体１０１に取付られた状態において、フィルター収納部１９Ｂ及び下部２０Ａは、熱交換器５側に向かって下側に傾斜している。このため、この水抜き通路１９Ｊに流入した水は、下側に流れ、下部２０Ａを乗り上げて水路用壁２０Ｃ側に至る。そして、水路用壁２０Ｃ側の水は、隙間４４を介してフィルターユニット７から流出し、中ケーシング１７を伝ってドレン皿１６に流れていく。
【００４８】
（上部２０Ｂ）
上部２０Ｂは、下部２０Ａと平行に設けられたものであり、接続リブ２０Ｄの他方が接続されているものである。上部２０Ｂには、ユーザーが取外側ケース２０の着脱を容易に出来るようにするつまみ２０Ｅが設けられている。
なお、ユーザーは、このつまみ２０Ｅを下方に引くことで、後述する固定用爪５１が固定用爪受け５３から離脱し、取外側ケース２０を固定側ケース１９から取り外すことができるようになっている。このように、ユーザーは、固定側ケース１９を外すことなく、取外側ケース２０のみを着脱することでフィルター１８の交換などのメンテナンスができるようになっている。
【００４９】
（接続リブ２０Ｄ）
接続リブ２０Ｄは、取外側ケース２０の矩形形状を保持する補強部材であり、下部２０Ａと上部２０Ｂとを接続するように形成されたものである。接続リブ２０Ｄは、フィルターユニット７を正面側から投影視したとき、接続リブ１９Ｈと重なるように形成されたものである。これにより、風路圧損の増加を抑え、フィルター１８の有効面積が低減してしまうことを抑制することができる。また、接続リブ２０Ｄは、フィルターユニット７を本体１０１に取り付ける際に、フィルター１８がフィルターユニット７から落下してしまうことを防止する機能も果たしている。
【００５０】
図８は、実施の形態に係る換気装置１００のフィルターユニット７を取外側ケース２０側から見た図である。図９は、図８に示すＢ−Ｂ断面図である。図１０は、図８に示すＣ−Ｃ断面図である。次に、取外側ケース２０と固定側ケース１９との接続手段について図８〜図１０を参照して説明する。
固定側ケース１９は、上部１９Ｅの下端側に形成された位置決め用爪穴５４、固定用爪受け５３を有している。また、取外側ケース２０は、上部２０Ｂの上面側に形成された固定用爪５１、位置決め用爪５２を有している。なお、固定用爪受け５３は、上部１９Ｅのうちの図９（ｂ）に示す点線円で示された部分であって、紙面に平行な部分と紙面下側に突出する部分によって形成されたものである。
【００５１】
図９に示すように、取外側ケース２０の固定用爪５１を、固定側ケース１９の固定用爪受け５３に嵌合させることで、固定側ケース１９と取外側ケース２０とを取り付けることができる。
また、図１０に示すように、取外側ケース２０の位置決め用爪５２を、位置決め用爪穴５４に挿入することで、取外側ケース２０と固定側ケース１９との位置決めをすることができ、固定用爪５１と固定用爪受け５３とを嵌合させやすくしている。
【００５２】
なお、取外側ケース２０は、樹脂成型時に反りなどが生じる可能性があるため、固定側ケース１９との着脱時に矯正されるように、位置決め用爪５２が設けられている。
位置決め用爪５２は、位置決め用爪穴５４の端部５５に位置決め用爪５２の先端５２ａが接することで、樹脂成型時の反りなどの矯正ができるようになっている。
すなわち、取外側ケース２０は、固定側ケース１９の位置決め用爪穴５４に位置決め用爪５２を挿入していると、位置決め用爪穴５４の形成位置に対応するように取外側ケース２０の形状が矯正される。これにより、固定用爪５１の引っ掛かり量を確保することができ、取外側ケース２０が固定側ケース１９により確実に取り付けられるようになっている。
【００５３】
［中ケーシング１７の詳細説明］
図１１は、実施の形態に係る換気装置１００の縦断面図である。図１２は、図１１の（ク）に示す部分の拡大図である。図１１及び図１２を参照して中ケーシング１７の構成について説明する。
中ケーシング１７は、固定側ケース１９のフィルター収納部１９Ｂの下面側に対応する角部５Ａを支持する支持部１７Ｂを有している。この支持部１７Ｂは、後ケーシング４側から正面パネル１側に突出するように形成され、熱交換器５の長手方向に伸びるように形成されているものである。
中ケーシング１７は、支持部１７Ｂ側からドレン皿１６側にかけて形成された水伝い壁１７Ｃが形成されている。この水伝い壁１７Ｃは、水受け部１９Ａ、水路用リブ１９Ｃ、水抜き通路１９Ｊ、及び支持部１９Ｋと水路用壁２０Ｃとの隙間４４を通過した水がドレン皿１６に流れるように、上下方向に形成されたものである。
さらに、中ケーシング１７は、前ケーシング３とともに、断熱材１９Ｇを介して第２の風路仕切部１９Ｌを挟み込んでいるものである。これにより、フィルターユニット７の上端側が本体１０１に支持されるようになっている。
【００５４】
［変形例１］
図１３は、固定側ケース１９に高性能フィルター６０を設けるときの説明図である。
固定側ケース１９に除塵などに利用されるフィルターを直接収納する際の構造について説明する。すなわち、この変形例１では、取外側ケース２０は設けられておらず、フィルター１８の代わりに、高性能フィルター６０を設けるものである。
この高性能フィルター６０は、たとえば、集塵効率がフィルター１８よりも高いフィルター濾材をプリーツ加工して形状を固定するための枠を周囲に取り付けたフィルターである。高性能フィルター６０は、虫、塵埃などの侵入を防止するために固定側ケース１９に着脱自在に設けられるものである。
高性能フィルター６０は、寸法公差により大きさが変化する。このため、虫、塵埃などの侵入をより確実に防止するにあたり、高性能フィルター６０の周縁に、弾性を備えた気密用パッキン６１が貼り付けられている。
気密用パッキン６１は、高性能フィルター６０の大小に関わらず、固定側ケース１９と高性能フィルター６０との間の気密性を向上させることができるようにしている。高性能フィルター６０は、固定側ケース１９に圧入で挿入され、固定側ケース１９に固定される。
【００５５】
［変形例２］
図１４は、フィルターユニット７にフィルター１８に加えて任意のフィルター６２を設けたときの説明図である。
フィルターユニット７は、フィルター１８に加えて、複数の任意のフィルター６２を収納するように構成してもよい。
任意のフィルター６２としては、たとえば二酸化窒素を吸収するＮＯｘフィルターや、臭気を吸収する脱臭フィルターなどを採用するとよい。そして、任意のフィルター６２は、フィルター１８に重ねられた状態で、固定側ケース１９及び取外側ケース２０に収容される。
なお、任意のフィルター６２を、フィルター１８よりも空気流れ方向の下流側となるように、フィルターユニット７に収容するとよい。これにより、フィルター１８で径の大きい塵埃などを捕集した後に、二酸化窒素及び臭気などといった径の小さい物質を任意のフィルター６２で捕捉することができるからである。
このように、変形例２では、フィルターユニット７を、フィルター１８及び任意のフィルター６２が収容できるように構成し、空気の清浄効果を高め、より新鮮な空気を室内へ供給することができるようになっている。
【００５６】
［実施の形態に係る換気装置１００の有する効果］
実施の形態に係る換気装置１００は、フィルターユニット７が水受け部１９Ａを有しているので、熱交換器５の側面３３で生じた結露を貯留することができ、熱交換器５の側面を伝って本体１０１の下側に結露が流れていき、室内に結露が漏洩してしまうことを抑制することができる。
【符号の説明】
【００５７】
１  正面パネル、２  風向可変ルーバー、３  前ケーシング、３Ａ  収容部、４  後ケーシング、５  熱交換器、５Ａ  角部、６  給気出口部、７  フィルターユニット、８  給気入口部、９  排気出口部、１０  排気入口部、１１  給気用ファン、１１Ａ  給気用羽根、１２  排気用ファン、１２Ａ  排気用羽根、１３  シャッター、１４  サブシャッター、１５  開口、１６  ドレン皿、１７  中ケーシング、１７Ａ  収容部、１７Ｂ  支持部、１７Ｃ  水伝い壁、１８  フィルター、１９  固定側ケース、１９Ａ  水受け部、１９Ｂ  フィルター収納部、１９Ｃ  水路用リブ、１９Ｄ  第１の風路仕切部、１９Ｅ  上部、１９Ｆ  壁部、１９Ｇ  断熱材、１９Ｈ  接続リブ、１９Ｉ  傾斜部、１９Ｊ  水抜き通路、１９Ｋ  支持部、１９Ｌ  第２の風路仕切部、１９Ｍ  リブ、２０  取外側ケース、２０Ａ  下部、２０Ｂ  上部、２０Ｃ  水路用壁、２０Ｄ  接続リブ、２１  室内側フィルター、２２  送風機取付板、２３  送風用電動機、２４  熱交換器取手、２５  給気風路、２６  排気風路、２９  面、３３  側面、３３ａ  端部、３３ｂ  端部、３９  交点、３９ａ  交点、４４  隙間、５１  固定用爪、５２  位置決め用爪、５２ａ  先端、５３  固定用爪受け、５４  位置決め用爪穴、５５  端部、６０  高性能フィルター、６１  気密用パッキン、６２  任意のフィルター、１００  換気装置、１０１  本体、ａ  給気、ｂ  排気。
【図１】
2014145540.tif 000003
【図２】
2014145540.tif 000004
【図３】
2014145540.tif 000005
【図４】
2014145540.tif 000006
【図５】
2014145540.tif 000007
【図６】
2014145540.tif 000008
【図７】
2014145540.tif 000009
【図８】
2014145540.tif 000010
【図９】
2014145540.tif 000011
【図１０】
2014145540.tif 000012
【図１１】
2014145540.tif 000013
【図１２】
2014145540.tif 000014
【図１３】
2014145540.tif 000015
【図１４】
2014145540.tif 000016